(57)【要約】【課題】ＧＰＳ位置情報を利用してマルチメディアファイルを効率よく管理することが可能なマルチメディアサーバを提供する。【解決手段】マルチメディアサーバ１１は、外部デバイスからマルチメディアファイル及びＧＰＳ位置情報をインポートするファイルインポート手段４１と、インポートされたマルチメディアファイルを蓄積するストレージ手段４２と、ファイル再生手段４３と、ストレージ手段４２に蓄積されたマルチメディアファイルを管理するファイルデータベース４４ａと、ＧＰＳ位置情報と住所とを関連づけて記録する住所データベース４４ｂと、住所と施設名とを関連づけて記録する施設名データベース４４ｃと、ＧＰＳ位置情報に基づいて施設名を取得する施設名取得手段４５と、取得した施設名の一覧を表示する施設名表示手段４６と、マルチメディアファイルの保存先フォルダのフォルダ名を設定するフォルダ設定手段４７とを備えている。【選択図】図４
2009303075.tif 000002
【特許請求の範囲】
【請求項１】
デジタルテレビに接続可能なマルチメディアサーバであって、
外部デバイスからＧＰＳ位置情報が付加されたマルチメディアファイルをインポートするファイルインポート手段と、
前記インポートされたマルチメディアファイルを蓄積するストレージ手段と、
前記ストレージ手段に蓄積されたマルチメディアファイルを再生するファイル再生手段と、
前記ＧＰＳ位置情報に基づいて当該位置にある施設の施設名を取得する施設名取得手段と、
前記施設名の一覧を表示する施設名表示手段と、
前記施設名の一覧の中から選択された一の施設名を前記インポートされたマルチメディアファイルの保存先フォルダのフォルダ名として設定するフォルダ設定手段とを備えることを特徴とするマルチメディアサーバ。
【請求項２】
前記ＧＰＳ位置情報と住所とを関連づけて記録する住所データベースと、
前記住所と前記施設名とを関連づけて記録する施設名データベースとをさらに備え、
前記施設名取得手段は、前記住所データベースを参照して前記ＧＰＳ位置情報に対応する住所を取得した後、前記施設名データベースを参照して前記住所に対応する施設名を取得することを特徴とする請求項１に記載のマルチメディアサーバ。
【請求項３】
前記施設名取得手段は、外部の住所データベースサーバにアクセスして前記ＧＰＳ位置情報に対応する住所を取得した後、外部の施設名データベースサーバにアクセスして前記住所に対応する施設名を取得することを特徴とする請求項１に記載のマルチメディアサーバ。
【請求項４】
前記施設名表示手段は、前記施設名の一覧と共に前記住所を表示し、
前記フォルダ設定手段は、前記施設名の一覧及び前記住所の中から選択された一の施設名又は住所を前記インポートされたマルチメディアファイルの保存先フォルダのフォルダ名として設定することを特徴とする請求項２又は３に記載のマルチメディアサーバ。
【請求項５】
前記ＧＰＳ位置情報と前記施設名とを関連つけて記録する施設名データベースをさらに備え、
前記施設名取得手段は、前記施設名データベースを参照して前記ＧＰＳ位置情報に対応する施設名を取得することを特徴とする請求項１に記載のマルチメディアサーバ。
【請求項６】
前記施設名取得手段は、外部の施設名データベースサーバにアクセスして前記ＧＰＳ位置情報に対応する施設名を取得することを特徴とする請求項１に記載のマルチメディアサーバ。
【発明の詳細な説明】
【技術分野】
【０００１】
本発明は、マルチメディアサーバに関し、特に、動画、静止画、並びに、音楽の再生及び管理に特化した小型で操作性の高いマルチメディアサーバに関するものである。
【背景技術】
【０００２】
近年、デジタルコンテンツの普及により、個人が大量のデジタルコンテンツを保有し管理する時代となっている。通常、これらのデジタルコンテンツの管理はパソコンで行われるが、パソコンは汎用性が極めて高い反面、デジタルコンテンツの管理を簡単に行うことはできない。
【０００３】
パソコンを用いたデジタルコンテンツの管理に関しては、例えば特許文献１に記載のように、ストレージを共有することにより、同一コンテンツにアクセスが集中した場合でも最小限のコピーでサービス可能なストレージ共有型分散マルチメディアサーバシステムが提案されている。また、特許文献２には、複数のディスクドライブを備え、これら各ディスクドライブ（に装着されている記憶媒体）にデータを分散して格納することで、並列アクセスを可能としてアクセスの高速化を図ったマルチメディアサーバ用ディスクアレイ装置が開発されている。
【０００４】
従来、動画、静止画等のマルチメディアファイルには、そのファイルが作られたときのデータとして、年月日や時刻のデータが付与される。例えば、デジタルカメラ等で撮影された静止画ファイルには、その静止画が撮影された日時として「2008/02/11 11:37」といったデータが付与される。最近は、ＧＰＳ機能を有するカメラ機能付き携帯電話やビデオカメラも徐々に普及しており、ＧＰＳ受信機能により得られた位置情報をマルチメディアファイルと共に記録することも行われている（特許文献３、４参照）。
【特許文献１】特開平１０−１３４４８５号公報
【特許文献２】特開平１０−１３３８２８号公報
【特許文献３】特開２００３−５１９９７号公報
【特許文献４】特開２００８−７２２２８号公報
【発明の開示】
【発明が解決しようとする課題】
【０００５】
上記のように、最近は動画、静止画等のマルチメディアファイルにＧＰＳ位置情報が付与されることが多くなっていることから、マルチメディアファイルを蓄積し管理するマルチメディアサーバにおいても、ＧＰＳ位置情報を管理し、有効活用することが望まれている。
【０００６】
本発明は上記課題を解決するためになされたものであり、本発明の目的は、ＧＰＳ位置情報を利用してマルチメディアファイルを効率よく管理することが可能なマルチメディアサーバを提供することにある。
【課題を解決するための手段】
【０００７】
上記課題を解決するため、本発明によるマルチメディアサーバは、デジタルテレビに接続可能なマルチメディアサーバであって、外部デバイスからＧＰＳ位置情報が付加されたマルチメディアファイルをインポートするファイルインポート手段と、インポートされたマルチメディアファイルを蓄積するストレージ手段と、ストレージ手段に蓄積されたマルチメディアファイルを再生するファイル再生手段と、ＧＰＳ位置情報に基づいて当該位置にある施設の施設名を取得する施設名取得手段と、施設名の一覧を表示する施設名表示手段と、施設名の一覧の中から選択された一の施設名をインポートされたマルチメディアファイルの保存先フォルダのフォルダ名として設定するフォルダ設定手段とを備えることを特徴とする。
【０００８】
ここで、マルチメディアファイルとは、動画ファイル、静止画ファイル、音楽ファイル又はこれらの複合ファイルであって、ファイルフォーマットは特に限定されないが、動画であればｍｐｇファイル、ａｖｉファイル等を挙げることができ、静止画であればｂｍｐファイル、ｊｐｇファイル、ｇｉｆファイル等を挙げることができ、音楽ファイルであればｗａｖファイル、ｍｐ３ファイル、ａａｃファイル、ｏｇｇファイル、ｍｉｄファイルを挙げることができる。
【０００９】
本発明によれば、マルチメディアファイルに関連づけられたＧＰＳ位置情報から施設名を求め、この施設名をマルチメディアファイルのフォルダ名として設定することができるので、ＧＰＳ位置情報を利用してデジタルコンテンツを効率良く管理することができ、再生したいマルチメディアファイルを容易に見つけることが可能となる。
【００１０】
本発明によるマルチメディアサーバは、ＧＰＳ位置情報と住所とを関連づけて記録する住所データベースと、住所と施設名とを関連づけて記録する施設名データベースとをさらに備え、施設名取得手段は、住所データベースを参照してＧＰＳ位置情報に対応する住所を取得した後、施設名データベースを参照して住所に対応する施設名を取得することが好ましい。これによれば、ＧＰＳ位置情報から住所を求め、さらに当該住所から施設名を求めるので、住所と施設名を一緒に取得ことができる。また、住所データベースと施設名データベースとを別々に保有していることから、データベースの管理や更新が容易である。特に、ＧＰＳ位置情報と住所との関係が変更されることは希であるが、住所と施設名との関係は比較的頻繁に変更されることから、施設名データベースを更新するだけで常に最新の施設名に対応することが可能となる。さらに、マルチメディアサーバ自身がデータベースを保有することから、外部のデータベースに頼ることなくＧＰＳ位置情報を活用することができる。また、検索にかかる時間を短くすることができ、高速なサービスを提供することができる。
【００１１】
本発明において、施設名取得手段は、外部の住所データベースサーバにアクセスしてＧＰＳ位置情報に対応する住所を取得した後、外部の施設名データベースサーバにアクセスして住所に対応する施設名を取得することが好ましい。これによれば、マルチメディアサーバ自身がデータベースを持つ必要がないので、データベースの管理や更新を不要にすることができる。
【００１２】
本発明において、施設名表示手段は、施設名の一覧と共に住所を表示し、フォルダ設定手段は、施設名の一覧及び住所の中から選択された一の施設名又は住所をインポートされたマルチメディアファイルの保存先フォルダのフォルダ名として設定することが好ましい。これによれば、施設名と共に住所を確認することができ、例えば施設名がフォルダ名として不適切な場合には、施設名の代わりに住所をフォルダ名として設定できるので、フォルダ名の選択肢を広げることができる。
【００１３】
本発明によるマルチメディアサーバは、ＧＰＳ位置情報と施設名とを関連つけて記録する施設名データベースをさらに備え、施設名取得手段は、施設名データベースを参照してＧＰＳ位置情報に対応する施設名を取得することが好ましい。これによれば、ＧＰＳ位置情報から住所を求めることなく、施設名を直接求めることができる。したがって、施設名の取得にかかる時間を短縮することができると共に、データベースの規模を縮小することができる。
【００１４】
本発明において、施設名取得手段は、外部の施設名データベースサーバにアクセスしてＧＰＳ位置情報に対応する施設名を取得することが好ましい。これによれば、マルチメディアサーバ自身がデータベースを持つ必要がないので、データベースの管理や更新を不要にすることができる。
【００１５】
本発明において、フォルダ設定手段は、複数のアイコンイメージの中から選択された一のアイコンイメージをインポートされたマルチメディアファイルの保存先フォルダのアイコンイメージとして設定することが好ましい。これによれば、ファイル名とアイコンイメージの組み合わせから、再生したいマルチメディアファイルを簡単に見つけ出すことができる。
【発明の効果】
【００１６】
このように、本発明によれば、ＧＰＳ位置情報を利用してデジタルコンテンツを効率良く管理することができ、再生したいマルチメディアファイルを容易に見つけることが可能となる。
【発明を実施するための最良の形態】
【００１７】
以下、添付図面を参照しながら、本発明の好ましい実施の形態について詳細に説明する。
【００１８】
図１は、本発明の第１の実施形態によるマルチメディアサーバシステムの構成を示す略ブロック図である。
【００１９】
図１に示すように、このマルチメディアサーバシステム１０は、マルチメディアファイルの再生及び管理を行うマルチメディアサーバ１１と、家庭内ＬＡＮ１３を介してマルチメディアサーバ１１に接続されたタンクサーバ１４とを備えている。マルチメディアサーバ１１はデジタルハイビジョンテレビ１２に接続できる機能を備えている。その機能は、例えば、ＨＤＭＩ（High Definition Multimedia Interface）ケーブルを接続できる端子であってもよく、無線ＬＡＮであってもよい。無線ＬＡＮの場合、ＩＥＥＥ８０２．１１ａ／ｂ／ｇ又はＩＥＥＥ８０２．１１ｎであってもよく、また非圧縮でデータを送ることができるＷＨＤＩ（Wireless High-Definition Interface）であってもよい。家庭内ＬＡＮ１３はブロードバンドルータ１５等のホームゲートウェイを介してインターネット１６に接続されている。インターネット１６上には、マルチメディアサーバ１１内のファームウェアやアプリケーションプログラムを提供するサポートセンタ１７、デジタルコンテンツ自身或いはデジタルコンテンツのタグ情報を提供するコンテンツプロバイダ１８等が存在している。通常、家庭内ＬＡＮ１３にはパソコン１９が接続されているが、このパソコン１９からマルチメディアサーバ１１やタンクサーバ１４にアクセスすることも可能である。なお、この家庭内ＬＡＮはケーブル接続でもよいが、ＩＥＥＥ８０２．１１ａ／ｂ／ｇ、ＩＥＥＥ８０２．１１ｎ等の無線ＬＡＮで構成することもできる。
【００２０】
図２は、本発明の好ましい実施形態によるマルチメディアサーバ１１の外観構造を示す図であって、（ａ）はフロントパネル側の斜視図、（ｂ）はバックパネル側の斜視図である。
【００２１】
図２（ａ）及び（ｂ）に示すように、マルチメディアサーバ１１は、横置きボックス型の小型でシンプルな構造となっている。したがって、大型なデジタルハイビジョンテレビ１２の周囲の手狭なスペースにも設置が可能である。
【００２２】
図２（ａ）に示すように、マルチメディアサーバ１１の筐体のフロントパネルには電源スイッチボタン２１、赤外線受光パネル２３、メモリカードスロット２４、ＵＳＢ（Universal Serial Bus）端子２５ａが設けられている。電源スイッチボタン２１はＬＥＤ表示部を構成しており、このＬＥＤの点減状態によって電源の投入状態や動作状態の確認が可能である。マルチメディアサーバ１１には赤外線リモコン２６が付属しており、赤外線受光パネル２３はリモコン２６からのコマンド信号を受信することができる。メモリカードスロット２４は、ＳＤカード（登録商標）等の各種メモリカードのための専用スロットである。ＵＳＢ端子２５ａはＵＳＢケーブルを介してデジタルカメラ、デジタルビデオカメラ等のＵＳＢデバイス（外部デバイス）を接続可能である。
【００２３】
図２（ｂ）に示すように、マルチメディアサーバ１１の筐体のバックパネルには主電源スイッチ２２、ＬＡＮポート２７、ＨＤＭＩ端子２８、コンポジットビデオ端子２９ａ、ステレオオーディオ端子２９ｂ、S-Video端子２９ｃ、SPDIF端子２９ｄ、ＵＳＢ端子２５ｂ等の各種端子が設けられている。マルチメディアサーバ１１はＬＡＮポート２７を介してＬＡＮ１３に接続可能である。また、マルチメディアサーバ１１はＨＤＭＩ端子２８に接続されたＨＤＭＩケーブル２８ａ（図１参照）を介してデジタルハイビジョンテレビ（ディスクプレイ）１２に接続可能である。
【００２４】
図３は、マルチメディアサーバ１１の内部構成を示す略ブロック図である。
【００２５】
図３に示すように、マルチメディアサーバ１１は、ＣＰＵ３１、メモリ３２、グラフィックプロセッサ３３、オーディオプロセッサ３４、ハードディスクドライブ３５、ネットワークインターフェース３６、無線ネットワークインターフェース３７、ＵＳＢインターフェース３８、メモリカードスロット３９を備えている。マルチメディアサーバ１１では専用ＯＳが使用されるのでＣＰＵ３１の負荷が少なく、よってパソコンよりも低スペックのＣＰＵを使用することができる。
【００２６】
ハードディスクドライブ３５にはマルチメディアファイルが格納されるほか、マルチメディアファイルを管理するための各種データベースも記録されている。さらに、ハードディスクドライブ３５にはマルチメディアサーバ１１の動作に必要なＯＳ等のファームウェアも記録されており、これらは電源投入時にロードされる。ハードディスクドライブ３５はできるだけ大容量であることが好ましく、例えば３００〜５００ＧＢ程度の記録容量を有している。本実施形態のマルチメディアサーバ１１は有線によるネットワークインターフェース３６のみならず無線ネットワークインターフェース３７を有しているため、有線ＬＡＮを介したネットワーク接続の他、無線ＬＡＮ接続も可能である。特に、デジタルカメラやデジタルビデオカメラが無線ＬＡＮに対応している場合には、無線ＬＡＮ経由でのデータの受け渡しも可能である。
【００２７】
図４は、マルチメディアサーバ１１の機能ブロック図である。
【００２８】
図４に示すように、マルチメディアサーバ１１は、図３に示したハードウェアとソフトウェアとの協働によって、外部デバイスからマルチメディアファイル及びＧＰＳ位置情報をインポートするファイルインポート手段４１と、インポートされたマルチメディアファイルを蓄積するストレージ手段４２と、ストレージ手段４２に蓄積されたマルチメディアファイルを再生するファイル再生手段４３と、ストレージ手段４２に蓄積されたマルチメディアファイルを管理するファイルデータベース４４ａと、ＧＰＳ位置情報と住所とを関連づけて記録する住所データベース４４ｂと、住所と施設名とを関連づけて記録する施設名データベース４４ｃと、ＧＰＳ位置情報に基づいて施設名を取得する施設名取得手段４５と、取得した施設名の一覧を表示する施設名表示手段４６と、インポートされたマルチメディアファイルの保存先フォルダのフォルダ名を設定するフォルダ設定手段４７を構成している。
【００２９】
ファイルインポート手段４１は、外部デバイス内のマルチメディアファイルを自動的にインポートする自動インポート機能と、外部デバイス内のマルチメディアファイルのうちユーザが選択したものをインポートする手動インポート機能を有している。ファイル再生手段４３は、ユーザによって選択された任意のフォルダ内のマルチメディアファイルを順次再生することができる。
【００３０】
フォルダ設定手段４７は、インポートされたマルチメディアファイルが作成された地点の住所や施設名を取得し、住所及び施設名の一覧を表示する機能を有している。ユーザは複数の施設名の一覧の中から一の施設名を選択することができ、この施設名をフォルダ名として設定することができる。フォルダ名の選択は、赤外線リモコン２６の操作により行うことができる。さらに、フォルダ設定手段４７は、アイコンデータベース（不図示）に登録されている複数のアイコンイメージの中から選択された一のアイコンイメージをインポートファイルの保存先フォルダのアイコンイメージとして設定する機能を有している。
【００３１】
マルチメディアサーバ１１は、ソフトウェアキーボード等の文字入力手段４８を備えており、フォルダ設定手段４７は、文字入力手段４８から直接入力された文字列をインポートファイルの保存先フォルダ名として設定する機能を有している。よって、ユーザは、保存先フォルダ名に任意の文字列を設定することができる。
【００３２】
本実施形態のマルチメディアサーバシステム１０が取り扱うマルチメディアファイルは主として動画、静止画（写真）、及び音楽の３種類である。これらのファイルサイズは通常でも非常に大きいが、高品質になるほどさらに大きくなるという性質を有している。マルチメディアサーバ１１は、これらのマルチメディアファイルを管理するためのファイルデータベース４４ａを有している。ファイルデータベース４４ａで管理されるマルチメディアファイルの情報は、コンテンツのインポート時に当該コンテンツから抽出されるか、或いはインターネット１６上のコンテンツプロバイダ１８にアクセスして取得されるか、或いは、ユーザの直接入力により取得されるものである。
【００３３】
図５は、ファイルデータベースで管理されるマルチメディアファイルの情報を示す表である。
【００３４】
図５に示すように、マルチメディアファイルの情報は、大きく４種類に大別することができる。「インポート情報」５１、「コンテンツ情報」５２、「再生情報」５３、及び「付加情報」５４である。このうち、「インポート情報」５１は、マルチメディアファイルのインポート時に得られる情報であり、実際のファイル名を示す「ファイル名」５１ａ、マルチメディアサーバ１１内（或いはタンクサーバ１４内）のマルチメディアファイルの格納位置を示す「格納場所」５１ｂ、実際のファイルサイズを示す「サイズ」５１ｃ、マルチメディアファイルをインポートした年月日及び時刻を示す「インポート日時」５１ｄ、及びマルチメディアファイルと関連づけられた位置情報である「ＧＰＳ位置情報」５１ｅである。
【００３５】
ＧＰＳ位置情報５１ｅは、ＧＰＳ（Global Positioning System）より提供される位置情報であって、経度及び緯度を含む位置情報である。この位置情報は、動画等のマルチメディアファイルが記録された地点の位置情報であることが好ましい。ＧＰＳ機能を有するビデオカメラや携帯電話機では、動画や静止画を撮影した地点の位置情報を動画や静止画と関連づけて登録することができる。よって、ＧＰＳ機能を有する外部デバイスからＧＰＳ位置情報を直接インポートすることができる。
【００３６】
「コンテンツ情報」５２としては、「コンテンツタイプ」５２ａ、「プロファイル」５２ｂ、「解像度」５２ｃ、「長さ」５２ｄ、「ビットレート」５２ｅ、「タイトル名」５２ｆ、「アーティスト名」５２ｇ、「アルバム名」５２ｈ、「ジャンル」５２ｉ、「作成年月日」５２ｊを挙げることができる。「コンテンツタイプ」５２ａは、動画、静止画、又は音楽のいずれかを示す情報であり、「プロファイル」５２ｂはファイルのフォーマット情報（MP3、WMA、WMV等）を示す情報である。また、「解像度」５２ｃは、動画、静止画における品質情報であり、「長さ」５２ｄは、動画、音楽における時間情報であり、「ビットレート」５２ｅは、動画、音楽における品質情報である。また、「タイトル名」５２ｆ、「アーティスト名」５２ｇ、「アルバム名」５２ｈ、「ジャンル」５２ｉ、「作成年月日」５２ｊは、いわゆるマルチメディアファイルのタグ情報である。
【００３７】
「再生情報」５３としては、「再生回数」５３ａと「再生開始位置」５３ｂを挙げることができる。「再生回数」５３ａはユーザがコンテンツを再生した回数を示すものであり、「再生開始位置」５３ｂは前回再生の途中で再生が中断された場合時間軸の再生位置情報である。つまり、レジューム機能で使用される再生再開時間位置情報であり、主として動画で使用されるものである。
【００３８】
また、「付加情報」５４としては、「お気に入りランキング」５４ａを挙げることができる。「お気に入りランキング」５４ａは、ユーザによるコンテンツの評価を例えば５段階で示したものであり、ユーザが任意に設定できる項目である。
【００３９】
これらの情報はマルチメディアファイルごとに管理されるべき情報であり、ファイルデータベース４４ａに記録され、適時更新されるものである。
【００４０】
図６は、住所データベース４４ｂで管理されるレコードの内容を示す図である。また、図７は、施設名データベース４４ｃで管理されるレコードの内容を示す図である。
【００４１】
図６に示すように、住所データベース４４ｂには、「ＩＤ」６１、「ＧＰＳ位置情報」６２及び「住所」６３が登録されている。そのため、ある地点のＧＰＳ位置情報が分かっていれば、住所データベース４４ｂを用いて当該地点の住所を知ることができる。また、図７に示すように、施設名データベース４４ｃには、「ＩＤ」６４、「住所」６３及び「施設名」６５が登録されている。そのため、ある地点の住所が分かっていれば、施設名データベース４４ｃを用いて当該地点の施設名を知ることができる。さらにこれら２つのデータベースを使用した場合には、ＧＰＳ位置情報から施設名を求めることが可能である。なお「施設名」６５には、例えば、公園、遊園地、野球場、デパートといった狭義の施設のほか、富士山、琵琶湖といった自然の観光地も含まれる。
【００４２】
マルチメディアファイルはストレージ手段４２内の所定の格納場所５１ｂに格納されており、フォルダ単位で管理されている。フォルダ名はユーザが自由に設定することができ、特に、マルチメディアファイルを作成した地点の施設名や住所をフォルダ名として設定することができる。またフォルダのアイコンイメージも設定することができる。
【００４３】
次に、図８のフローチャートを参照しながら、マルチメディアサーバ１１の動作について詳細に説明する。
【００４４】
まず、ビデオカメラ等の外部デバイスがマルチメディアサーバ１１接続されると（ステップＳ１１Ｙ）、マルチメディアサーバ１１はアクティブになり、マルチメディアファイルのインポートが開始される（ステップＳ１２）。このときのインポートは自動インポートであってもよく、手動インポートであってもよい。自動インポートの場合には、ファイルインポート手段４１が外部デバイス内のファイルとマルチメディアサーバ１１内に蓄積されているファイルとを比較し、未だインポートされていないマルチメディアファイルを自動的に選択する。一方、手動インポートの場合には、外部デバイス内のマルチメディアファイルの一覧を表示するので、ユーザは、インポートしたいファイルを自由に選択することができる。
【００４５】
マルチメディアファイルのインポートが完了すると、インポートしたマルチメディアファイルにＧＰＳ位置情報が含まれているかどうかが判断される（ステップＳ１３）。マルチメディアファイルにＧＰＳ位置情報が含まれている場合には（ステップＳ１３Ｙ）、上述の住所データベース４４ｂを参照して、ＧＰＳ位置情報に対応する住所の検索が行われる（ステップＳ１４）。
【００４６】
住所の検索が完了すると、次に施設名データベース４４ｃを参照して、住所に対応する施設名の検索が行われる（ステップＳ１５）。なお、住所の検索結果をユーザが一度確認した後、施設名の検索を開始するようにしてもよい。施設名の検索が完了すると、フォルダ設定画面が表示され、フォルダ設定画面において検索結果の住所及び施設名の一覧が表示される（ステップＳ１６）。そのため、ユーザはフォルダ設定画面上で住所又は施設名を選択することができる。
【００４７】
住所の一例としては、「千葉県浦安市舞浜１丁目」を挙げることができ、この場合の施設名は「東京ディズニーランド」となる。ＧＰＳ位置情報に対して複数の住所が該当することはないと考えられるが、一つの住所に対して複数の施設名が該当することはあり得る。そのような場合、フォルダ設定画面上には複数の施設名が表示される。
【００４８】
施設名の一覧の中から一の施設名が選択されると、この施設名がマルチメディアファイルの保存先フォルダのフォルダ名として設定される（ステップＳ１７）。検索の結果、施設名が何も得られなかった場合や適切な施設名がない場合には、住所を選択することができ、住所をフォルダ名として設定することができる。
【００４９】
上記ステップＳ１３においてマルチメディアファイルがＧＰＳ位置情報を含まない場合には（ステップＳ１３Ｎ）、住所や施設名を取得することができないため、例えば、マルチメディアファイルのファイル名を保存先フォルダのフォルダ名として設定すればよい（ステップＳ１９）。マルチメディアファイルのファイル名以外にも、例えば予め用意された複数の定型フォルダ名の中から選択された一の定型フォルダ名を保存先フォルダのフォルダ名として採用してもよい。
【００５０】
その後、保存先フォルダのアイコンイメージの設定画面が表示され、ユーザがアイコンイメージの一覧の中から選ばれた一のアイコンイメージを選択すると、このアイコンイメージがマルチメディアファイルの保存先フォルダのアイコンイメージとして設定される（ステップＳ１８）。
【００５１】
このようにして、インポートされたマルチメディアファイルには「フォルダ名」と「アイコンイメージ」が付与されるので、後日、ユーザがそのファイルを再生しようとするときには、「フォルダ名」及び「アイコンイメージ」を手がかりにして当該ファイルに速やかにたどり着くことができる。
【００５２】
以上説明したように、本実施形態によれば、外部デバイス内のマルチメディアファイルをインポートする際、ＧＰＳ位置情報を取得し、ＧＰＳ位置情報に基づいて当該位置にある施設の施設名を取得し、当該施設名をマルチメディアファイルの保存先フォルダのフォルダ名として設定することができるので、デジタルコンテンツの管理が容易となり、再生したいマルチメディアファイルを容易に見つけることができる。
【００５３】
また、本実施形態によれば、ＧＰＳ位置情報に基づいて当該位置の住所を取得し、当該住所をマルチメディアファイルの保存先フォルダのフォルダ名として設定することができるので、フォルダ名の選択肢を増やすことができ、適切な施設名がない場合でも適切なフォルダ名を設定することができる。
【００５４】
図９は、本発明の第２の実施形態によるマルチメディアサーバ１１の機能ブロック図である。また、図１０は、マルチメディアサーバ１１が有する施設名データベース４４ｃのレコード構成を示す模式図である。
【００５５】
図９に示すように、このマルチメディアサーバ１１の特徴は、住所データベース４４ｂを備えておらず、施設名データベース４４ｃのみを備えている点にある。また、図１０に示すように、施設名データベース４４ｃには、「ＩＤ」６１、「ＧＰＳ位置情報」６２、及び「施設名」６５が記録されており、ＧＰＳ位置情報と施設名とが直接関連づけられている。そのため、施設名取得手段４５は、施設名データベース４４ｃを参照することにより、ＧＰＳ位置情報に対応する施設名を直ちに求めることができる。
【００５６】
次に、図１１のフローチャートを参照しながら、マルチメディアサーバ１１の動作について詳細に説明する。
【００５７】
まず、ビデオカメラ等の外部デバイスがマルチメディアサーバ１１接続されると（ステップＳ２１Ｙ）、マルチメディアサーバ１１はアクティブになり、マルチメディアファイルのインポートが開始される（ステップＳ２２）。このときのインポートは自動インポートであってもよく、手動インポートであってもよい。
【００５８】
マルチメディアファイルのインポートが完了すると、インポートしたマルチメディアファイルにＧＰＳ位置情報が含まれているかどうかが判断される（ステップＳ２３）。マルチメディアファイルにＧＰＳ位置情報が含まれている場合には（ステップＳ２３Ｙ）、上述の施設名データベースを参照して、ＧＰＳ位置情報に対応する施設名の検索が行われる（ステップＳ２４）。
【００５９】
施設名の検索が完了すると、フォルダ設定画面が表示され、フォルダ設定画面において検索結果の住所及び施設名の一覧が表示される（ステップＳ２５）。そのため、ユーザはフォルダ設定画面上で施設名を選択することができる。その後のステップ（Ｓ２６〜Ｓ２９）は第１の実施形態と同様であるため、重複する説明を省略する。
【００６０】
以上説明したように、本実施形態によれば、インターネット経由で外部サーバにアクセスし、ＧＰＳ位置情報に対応する施設名を取得するので、住所を検索する必要がなく、よって住所データベースを保有する必要がない。したがって、データベースの管理や更新が容易となり、取り扱いの容易なマルチメディアサーバを提供することができる。
【００６１】
上記マルチメディアサーバは、マルチメディアサーバ自身が住所データベースや施設名データベースを保有しているが、それらのデータベースを保有することは本発明において必須でなく、外部のデータベースサーバを利用してもよい。
【００６２】
図１２は、本発明の第３の実施形態によるマルチメディアサーバシステムの構成を示す略ブロック図である。
【００６３】
図１２に示すように、このマルチメディアサーバシステム９０は、マルチメディアサーバ９１がインターネット１６上の住所データベースサーバ９２及び施設名データベースサーバ９３を利用することを特徴とするものである。マルチメディアサーバ９１は、家庭内ＬＡＮ１３及びブロードバンドルータ１５等のホームゲートウェイを介してインターネット１６に接続されており、インターネット１６上には、住所データベースを提供する住所データベースサーバ９２や、施設名データベースを提供する施設名データベースサーバ９３が設けられている。
【００６４】
図１３は、本発明の第３の実施形態によるマルチメディアサーバ９１の機能ブロック図である。
【００６５】
図１３に示すように、マルチメディアサーバ９１は、マルチメディアサーバ９１自身が住所データベース４４ｂ及び施設名データベース４４ｃを備えていない代わりに、施設名取得手段４５がインターネット１６経由で上述の住所データベースサーバ９２や施設名データベースサーバ９３にアクセスし、ＧＰＳ位置情報に対応する住所を取得する機能や、住所に対応する施設名を取得する機能を備えている。
【００６６】
次に、図１４のフローチャートを参照しながら、マルチメディアサーバ９１の動作について詳細に説明する。
【００６７】
まず、ビデオカメラ等の外部デバイスがマルチメディアサーバ９１接続されると（ステップＳ３１Ｙ）、マルチメディアサーバ９１はアクティブになり、マルチメディアファイルのインポートが開始される（ステップＳ３２）。このときのインポートは自動インポートであってもよく、手動インポートであってもよい。
【００６８】
マルチメディアファイルのインポートが完了すると、インポートしたマルチメディアファイルにＧＰＳ位置情報が含まれているかどうかが判断される（ステップＳ３３）。マルチメディアファイルにＧＰＳ位置情報が含まれている場合には（ステップＳ３３Ｙ）、インターネット１６経由で住所データベースサーバ９２にアクセスし、ＧＰＳ位置情報を送信することにより、ＧＰＳ位置情報に対応する住所の取得が行われる（ステップＳ３４）。
【００６９】
住所の取得が完了すると、次にインターネット経由で施設名データベースサーバ９３にアクセスし、住所を送信することにより、住所に対応する施設名の取得が行われる（ステップＳ３５）。施設名の取得が完了すると、フォルダ設定画面が表示され、フォルダ設定画面において検索結果の住所及び施設名の一覧が表示される（ステップＳ３６）。そのため、ユーザはフォルダ設定画面上で施設名を選択することができる。その後のステップ（Ｓ３７〜Ｓ３９）は第１の実施形態と同様であるため、重複する説明を省略する。
【００７０】
以上説明したように、本実施形態によれば、インターネット経由で外部サーバにアクセスし、ＧＰＳ位置情報に対応する住所や施設名を取得するので、マルチメディアサーバ自身がデータベースを保有する必要がない。したがって、データベースの管理や更新が容易となり、取り扱いの容易なマルチメディアサーバを提供することができる。
【００７１】
以上、本発明の好ましい実施形態について説明したが、本発明は上記実施形態に限定されることなく、本発明の趣旨を逸脱しない範囲内で種々の変更を加えることが可能であり、それらも本発明に包含されるものであることは言うまでもない。
【００７２】
以上、本発明をその好ましい実施形態に基づき説明したが、本発明は上記実施形態に限定されることなく、本発明の趣旨を逸脱しない範囲内で種々の変更を加えても良いことは言うまでもない。
【００７３】
例えば、上記実施形態においては、動画や静止画を撮影した地点におけるＧＰＳ位置情報を例に挙げたが、本発明においてマルチメディアファイルとＧＰＳ位置情報との関係は特に限定されない。
【００７４】
また、上記実施形態においては、マルチメディアファイルの保存先フォルダの「フォルダ名」及び「アイコンイメージ」を設定しているが、本発明において「アイコンイメージ」を設定することは必須ではない。
【００７５】
また、上記実施形態においては、デジタルカメラ等の外部デバイスと接続するための外部インターフェースとしてＵＳＢを例に挙げたが、本発明はＵＳＢに限定されるものではなく、種々のインターフェースを利用することができる。
【００７６】
また、上記実施形態においては、図３に示したように、ストレージ手段としてハードディスクドライブ３５を挙げたが、フラッシュメモリ等の半導体メモリを使用してもよく、ＤＶＤ、ブルーレイディスク等の光ディスク装置を使用してもよく、これらのストレージ手段を組み合わせて使用してもよい。
【図面の簡単な説明】
【００７７】
【図１】図１は、本発明の第１の実施形態によるマルチメディアサーバシステムの構成を示す略ブロック図である。
【図２】図２は、本発明の第１の実施形態によるマルチメディアサーバ１１の外観構造を示す図であって、（ａ）はフロントパネル側の斜視図、（ｂ）はバックパネル側の斜視図である。
【図３】図３は、マルチメディアサーバ１１の内部構成を示す略ブロック図である。
【図４】図４は、マルチメディアサーバ１１の機能ブロック図である。
【図５】図５は、ファイルデータベースで管理されるマルチメディアファイルの情報を示す表である。
【図６】図６は、住所データベース４４ｂで管理されるレコードである。
【図７】図７は、施設名データベース４４ｃで管理されるレコードである。
【図８】図８は、マルチメディアサーバ１１の動作を説明するためのフローチャートである。
【図９】図９は、本発明の第２の実施形態によるマルチメディアサーバ１１の機能ブロック図である。
【図１０】図１０は、マルチメディアサーバ１１が有する施設名データベース４４ｃのレコード構成を示す模式図である。
【図１１】図１１は、マルチメディアサーバ１１の動作を説明するためのフローチャートである。
【図１２】図１２は、本発明の第３の実施形態によるマルチメディアサーバの機能ブロック図である。
【図１３】図１３は、マルチメディアサーバが有する施設名データベースのレコード構成を示す模式図である。
【図１４】図１４は、マルチメディアサーバ１１の動作を説明するためのフローチャートである。
【符号の説明】
【００７８】
１０    マルチメディアサーバシステム
１１    マルチメディアサーバ
１２    デジタルハイビジョンテレビ（ディスプレイ）
１３    ＬＡＮ
１４    タンクサーバ
１５    ブロードバンドルータ
１６    インターネット
１７    サポートセンタ
１８    コンテンツプロバイダ
１９    パソコン
２１    電源スイッチボタン
２２    主電源スイッチ
２３    赤外線受光パネル
２４    メモリカードスロット
２５ａ，２５ｂ    ＵＳＢ端子
２６    赤外線リモコン
２７    ＬＡＮポート
２８    ＨＤＭＩ端子
２８ａ    ＨＤＭＩケーブル
２９ａ    コンポジットビデオ端子
２９ｂ    ステレオオーディオ端子
２９ｃ    S-Video端子
２９ｄ    SPDIF端子
３２    メモリ
３３    グラフィックプロセッサ
３４    オーディオプロセッサ
３５    ハードディスクドライブ
３６    ネットワークインターフェース
３７    無線ネットワークインターフェース
３８    インターフェース
３９    メモリカードスロット
４１    ファイルインポート手段
４２    ストレージ手段
４３    ファイル再生手段
４４ａ    ファイルデータベース
４４ｃ    施設名データベース
４４ｃ    施設名データベース
４４ｂ    住所データベース
４５    施設名取得手段
４６    施設名表示手段
４７    フォルダ設定手段
４８    文字入力手段
５１ｅ    ＧＰＳ位置情報
６１    「ＩＤ」データ
６２    ＧＰＳ位置情報
６３    「住所」データ
６４    「ＩＤ」データ
６５    「施設名」データ
７４    ＧＰＳ位置情報
９０    マルチメディアサーバシステム
９１    マルチメディアサーバ
９２    住所データベースサーバ
９３    施設名データベースサーバ
【図１】
2009303075.tif 000003
【図２】
2009303075.tif 000004
【図３】
2009303075.tif 000005
【図４】
2009303075.tif 000006
【図５】
2009303075.tif 000007
【図６】
2009303075.tif 000008
【図７】
2009303075.tif 000009
【図８】
2009303075.tif 000010
【図９】
2009303075.tif 000011
【図１０】
2009303075.tif 000012
【図１１】
2009303075.tif 000013
【図１２】
2009303075.tif 000014
【図１３】
2009303075.tif 000015
【図１４】
2009303075.tif 000016